【手続補正書】
【提出日】平成17年3月10日(2005.3.10)
【手続補正１】
【補正対象書類名】明細書
【補正対象項目名】特許請求の範囲
【補正方法】変更
【補正の内容】
【特許請求の範囲】
【請求項１】  複数の積層された光導波路であって、各導波路が背面及び出口面を各導波路の対向する端部に有し、又各導波路が少なくとも１つのクラッド層に接触するコアで形成される複数の積層された光導波路と、
少なくとも１つの導波路の前記背面に接続された少なくとも１つの反射器であって、前記出口面から少なくとも１つの導波路を通して入射する画像光を受容し、該画像光を再指向させて前記少なくとも１つの導波路を通して前記出口面の外に戻す少なくとも１つの反射器と、
を有することを特徴とする光学パネル。
【請求項２】  前記反射器は、反射部及び少なくとも１つの拡散器を有することを特徴とする請求項１の光学パネル。
【請求項３】  前記拡散器は、前記出口面からの前記画像光を、前記出口面の垂直軸から約３０度まで、又前記出口面の水平軸から約１２０度までの角度にて、前記出口面から出すことを特徴とする請求項２の光学パネル。
【請求項４】  前記拡散器は、前記反射部と前記背面との間で、前記反射器の前記反射部に取り付けられることを特徴とする請求項２の光学パネル。
【請求項５】  前記拡散器は、平面状であることを特徴とする請求項４の光学パネル。
【請求項６】  前記反射部は、平面状であることを特徴とする請求項５の光学パネル。
【請求項７】  前記反射部は、少なくとも１つの角部を有することを特徴とする請求項５の光学パネル。
【請求項８】  前記反射器は、拡散性ミラーであることを特徴とする請求項２の光学パネル。
【請求項９】  前記拡散性ミラーは、ガラスミラーであることを特徴とする請求項８の光学パネル。
【請求項１０】  前記拡散性ミラーは、プラスチックミラーであることを特徴とする請求項８の光学パネル。
【請求項１１】  前記拡散器は、前記反射部と前記背面との間に、拡散性微細構造を有することを特徴とする請求項９又は１０の光学パネル。
【請求項１２】  前記反射器は、前記背面上にエンボス加工されていることを特徴とする請求項１１の光学パネル。
【請求項１３】  前記画像光は、前記出口面を通して画像として表示されることを特徴とする請求項１の光学パネル。
【請求項１４】  前記クラッド層のそれぞれは、前記背面から前記出口面まで延在することを特徴とする請求項１の光学パネル。
【請求項１５】  前記クラッド層のそれぞれは、少なくとも１つの暗色層を有することを特徴とする請求項１の光学パネル。
【請求項１６】  更に、前記光を発生する光発生器を有することを特徴とする請求項１の光学パネル。
【請求項１７】  前記光発生器は、光源を有することを特徴とする請求項１６の光学パネル。
【請求項１８】  前記光発生器は更に、
光変調器と、
結像光学素子と、
を有することを特徴とする請求項１７の光学パネル。
【請求項１９】  前記光源は、レーザ、アーク灯、ＲＦ励起ガス放電灯、固体光源、燐光性光源、発光性光源、及び白熱光源から成る群から選択されることを特徴とする請求項１７の光学パネル。
【請求項２０】  前記光源からの前記画像光は、前記光変調器によって変調されて画素を規定することを特徴とする請求項１７の光学パネル。
【請求項２１】  前記出口面での水平解像度は、前記光源からの前記画像光の変調によって制御されることを特徴とする請求項２０の光学パネル。
【請求項２２】  前記結像光学素子は、少なくとも１つのミラー及び少なくとも１つのレンズを有することを特徴とする請求項１８の光学パネル。
【請求項２３】  前記結像光学素子は、前記光を圧縮、拡大、及び集束させて前記出口面に適合させるために、前記出口面と前記光変調器との間に光学的に整列されることを特徴とする請求項１８の光学パネル。
【請求項２４】  前記少なくとも１つのクラッド層は、周辺光を吸収するように配置されることを特徴とする請求項１の光学パネル。
【請求項２５】  前記導波路のそれぞれは、双方向性であることを特徴とする請求項１の光学パネル。
【請求項２６】  前記コアは第１の屈折率を有し、前記クラッド層は前記第１の屈折率より低い第２の屈折率を有することを特徴とする請求項１の光学パネル。
【請求項２７】  前記コアのそれぞれは、プラスチックシートであることを特徴とする請求項１の光学パネル。
【請求項２８】  前記少なくとも１つの反射器は、前記積層体の内側に接続されることを特徴とする請求項１の光学パネル。
【請求項２９】  前記少なくとも１つの反射器は、前記積層体の外側に接続されることを特徴とする請求項１の光学パネル。
【請求項３０】  １つの反射器が、各導波路の前記背面に接続されることを特徴とする請求項１の光学パネル。
【請求項３１】  前記少なくとも１つの反射器は、逆反射体を有することを特徴とする請求項１の光学パネル。
【請求項３２】  前記少なくとも１つの反射器は、ＴＩＲ逆反射体を有することを特徴とする請求項１の光学パネル。
【請求項３３】  前記少なくとも１つの反射器は、反射性セレーション、平面ミラー、及びフロスト状拡散性ミラーから成る群から選択される少なくとも１つを有することを特徴とする請求項１の光学パネル。
【請求項３４】  前記少なくとも１つの反射器は、反射性テープを有することを特徴とする請求項１の光学パネル。
【請求項３５】  前記少なくとも１つの反射器は、湾曲状ミラーを有することを特徴とする請求項１の光学パネル。
【請求項３６】  前記少なくとも１つの反射器は、反射性プリズムを有することを特徴とする請求項１の光学パネル。
【請求項３７】  前記反射器は、前記背面上にエンボス加工されていることを特徴とする請求項１の光学パネル。
【請求項３８】  複数の積層された光導波路であって、各導波路が背面及び出口面を各導波路の対向する端部に有し、又各導波路が少なくとも１つのクラッド層に接触するコアで形成される複数の積層された光導波路と、
少なくとも１つの導波路の前記背面の後ろに配置された少なくとも１つの反射器であって、前記出口面から少なくとも１つの導波路を通して入射する画像光を受容し、該画像光を再指向させて前記少なくとも１つの導波路を通して前記出口面の外に戻す少なくとも１つの反射器と、
を有することを特徴とする光学パネル。
【請求項３９】  前記反射器は、反射部及び少なくとも１つの拡散器を有することを特徴とする請求項３８の光学パネル。
【請求項４０】  前記反射器は、拡散性ミラーであることを特徴とする請求項３９の光学パネル。
【請求項４１】  前記反射器は、前記背面上にエンボス加工されていることを特徴とする請求項３８の光学パネル。
【請求項４２】  前記画像光は、前記出口面を通して画像として表示されることを特徴とする請求項３８の光学パネル。
【請求項４３】  更に、前記光を発生する光発生器を有することを特徴とする請求項３８の光学パネル。
【請求項４４】  更に、前記反射器を前記少なくとも１つの導波路の前記背面に接続する接続手段を有することを特徴とする請求項３８の光学パネル。
【請求項４５】  前記少なくとも１つの反射器は、反射性セレーション、平面ミラー、及びフロスト状拡散性ミラーから成る群から選択される少なくとも１つを有することを特徴とする請求項３８の光学パネル。
【請求項４６】  複数の積層された光導波路であって、該積層された導波路が該積層された導波路の対向する端部に背面及び前面を形成し、又各導波路が少なくとも１つのクラッド層に接触するコアを有する複数の積層された光導波路と、
前記背面の後ろに配置された反射器であって、前記前面から前記積層された導波路を通して入射する画像光を受容し、該画像光を前記積層された導波路を通して前記前面の外に再指向させる反射器と、
を有することを特徴とする光学パネル。
【請求項４７】  前記反射器は、反射部及び少なくとも１つの拡散器を有することを特徴とする請求項４６の光学パネル。
【請求項４８】  前記拡散器は、前記前面からの前記画像光を、前記前面の垂直軸から約３０度まで、又前記前面の水平軸から約１２０度までの角度にて、前記前面から出すことを特徴とする請求項４７の光学パネル。
【請求項４９】  前記拡散器は、前記反射部と前記背面との間で、前記反射器の前記反射部に取り付けられることを特徴とする請求項４７の光学パネル。
【請求項５０】  前記拡散器は、平面状であることを特徴とする請求項４９の光学パネル。
【請求項５１】  前記反射部は、平面状であることを特徴とする請求項５０の光学パネル。
【請求項５２】  前記反射部は、少なくとも１つの角部を有することを特徴とする請求項５０の光学パネル。
【請求項５３】  前記反射器は、拡散性ミラーであることを特徴とする請求項４７の光学パネル。
【請求項５４】  前記拡散性ミラーは、ガラスミラーであることを特徴とする請求項５３の光学パネル。
【請求項５５】  前記拡散性ミラーは、プラスチックミラーであることを特徴とする請求項５３の光学パネル。
【請求項５６】  前記拡散器は、前記反射部と前記背面との間に、拡散性微細構造を有することを特徴とする請求項５５の光学パネル。
【請求項５７】  前記反射器は、前記背面上にエンボス加工されていることを特徴とする請求項５６の光学パネル。
【請求項５８】  前記画像光は、前記前面を通して画像として表示されることを特徴とする請求項４６の光学パネル。
【請求項５９】  前記クラッド層のそれぞれは、前記背面から前記前面まで延在することを特徴とする請求項４６の光学パネル。
【請求項６０】  前記クラッド層のそれぞれは、少なくとも１つの暗色層を有することを特徴とする請求項４６の光学パネル。
【請求項６１】  更に、前記光を発生する光発生器を有することを特徴とする請求項４６の光学パネル。
【請求項６２】  前記光発生器は、光源を有することを特徴とする請求項６１の光学パネル。
【請求項６３】  前記光発生器は更に、
光変調器と、
結像光学素子と、
を有することを特徴とする請求項６２の光学パネル。
【請求項６４】  前記光源は、レーザ、アーク灯、ＲＦ励起ガス放電灯、固体光源、燐光性光源、発光性光源、及び白熱光源から成る群から選択されることを特徴とする請求項６２の光学パネル。
【請求項６５】  前記光源からの前記画像光は、前記光変調器によって変調されて画素を規定することを特徴とする請求項６３の光学パネル。
【請求項６６】  前記前面での水平解像度は、前記光源からの前記画像光の変調によって制御されることを特徴とする請求項６５の光学パネル。
【請求項６７】  前記結像光学素子は、少なくとも１つのミラー及び少なくとも１つのレンズを有することを特徴とする請求項６３の光学パネル。
【請求項６８】  前記結像光学素子は、前記光を圧縮、拡大、及び集束させて前記前面に適合させるために、前記前面と前記光変調器との間に光学的に整列されることを特徴とする請求項６３の光学パネル。
【請求項６９】  前記少なくとも１つのクラッド層は、周辺光を吸収するように配置されることを特徴とする請求項４６の光学パネル。
【請求項７０】  前記導波路のそれぞれは、双方向性であることを特徴とする請求項４６の光学パネル。
【請求項７１】  前記コアは第１の屈折率を有し、前記クラッド層は前記第１の屈折率より低い第２の屈折率を有することを特徴とする請求項４６の光学パネル。
【請求項７２】  前記コアのそれぞれは、プラスチックシートであることを特徴とする請求項４６の光学パネル。
【請求項７３】  前記反射器は、前記積層された導波路の内側で前記積層された導波路に接続されることを特徴とする請求項４６の光学パネル。
【請求項７４】  前記反射器は、前記積層された導波路の外側で前記積層された導波路に接続されることを特徴とする請求項４６の光学パネル。
【請求項７５】  １つの反射器が、各導波路の背面に接続されることを特徴とする請求項４６の光学パネル。
【請求項７６】  前記反射器は、逆反射体を有することを特徴とする請求項４６の光学パネル。
【請求項７７】  前記反射器は、ＴＩＲ逆反射体を有することを特徴とする請求項４６の光学パネル。
【請求項７８】  前記反射器は、反射性セレーション、平面ミラー、及びフロスト状拡散性ミラーから成る群から選択される少なくとも１つを有することを特徴とする請求項４６の光学パネル。
【請求項７９】  前記反射器は、反射性テープを有することを特徴とする請求項４６の光学パネル。
【請求項８０】  前記反射器は、湾曲状ミラーを有することを特徴とする請求項４６の光学パネル。
【請求項８１】  前記反射器は、反射性プリズムを有することを特徴とする請求項４６の光学パネル。
【請求項８２】  前記反射器は、前記背面上にエンボス加工されていることを特徴とする請求項４６の光学パネル。
【請求項８３】  更に、前記反射器を前記背面に接続する接続手段を有することを特徴とする請求項４６の光学パネル。
【請求項８４】  前記反射器は、反射性セレーション、平面ミラー、及びフロスト状拡散性ミラーから成る群から選択される少なくとも１つを有することを特徴とする請求項８３の光学パネル。
【請求項８５】  積層された光導波路パネルの製造方法であって、
複数のシートの２つの面のそれぞれの上を、前記シートの屈折率より低い屈折率を有する第１の物質でコーティングする工程、
第１のコーティングされたシートを、該第１のコーティングされたシートより大きい寸法のトラフ内に配置する工程、
前記トラフを熱硬化可能なエポキシで満たす工程、
前記複数のコーティングされたシートを前記満たされたトラフ内で積層する工程、
前記エポキシを硬化させる工程、
前記積層体の対向する２つの端部にて背面及び出口面を形成する工程、及び
少なくとも１つの反射器を実質的に前記背面に提供する工程、
を含むことを特徴とする前記方法。
【請求項８６】  前記積層工程は、約５００〜約８００枚のシートが積層されるまで繰り返すことを特徴とする請求項８５の方法。
【請求項８７】  更に、前記積層体に実質的に一様な圧力を適用し、隣接するコーティングされたシート間のエポキシの実質的に一様なレベルを生成する工程を含むことを特徴とする請求項８５の方法。
【請求項８８】  前記硬化工程は、摂氏８０度にてベーキングすることを含むことを特徴とする請求項８５の方法。
【請求項８９】  前記提供工程は、前記少なくとも１つの反射器を前記積層体の内側に接続することを含むことを特徴とする請求項８５の方法。
【請求項９０】  前記提供工程は、前記少なくとも１つの反射器を前記積層体の外側に接続することを含むことを特徴とする請求項８５の方法。
【請求項９１】  前記シートは、ガラスから成ることを特徴とする請求項８５の方法。
【請求項９２】  前記シートは、プラスチックから成ることを特徴とする請求項８５の方法。
【請求項９３】  前記エポキシは、黒色であることを特徴とする請求項８５の方法。
【請求項９４】  前記第１の物質は、クリアであることを特徴とする請求項９３の方法。
【請求項９５】  前記第１の物質は、黒色であることを特徴とする請求項８５の方法。
【請求項９６】  前記提供工程は、前記少なくとも１つの反射器を前記背面上にエンボス加工することを含むことを特徴とする請求項８５の方法。
【請求項９７】  前記形成工程は、前記積層体を切断し、それによって前記背面又は出口面を形成することを含むことを特徴とする請求項８５の方法。
【請求項９８】  更に、前記切断された積層体をダイヤモンドポリッシャーで研磨する工程を含むことを特徴とする請求項９７の方法。
【請求項９９】  前記背面は、平面状であることを特徴とする請求項８５の方法。
【請求項１００】  前記背面は、湾曲状であることを特徴とする請求項８５の方法。
【請求項１０１】  前記出口面は、平面状であることを特徴とする請求項８５の方法。
【請求項１０２】  前記出口面は、湾曲状であることを特徴とする請求項８５の方法。
【請求項１０３】  更に、前記少なくとも１つの反射器と前記背面との間に拡散性材料を提供する工程を含むことを特徴とする請求項８５の方法。
【請求項１０４】  前記少なくとも１つの反射器は、その中に拡散性要素を有することを特徴とする請求項８５の方法。
【請求項１０５】  前記提供工程は、前記少なくとも１つの反射器を、コーティングとして前記背面に適用することを含むことを特徴とする請求項８５の方法。
【請求項１０６】  前記提供工程は、前記少なくとも１つの反射器を前記背面に接着することを含むことを特徴とする請求項８５の方法。
【請求項１０７】  前記提供工程は、前記少なくとも１つの反射器を、反射性テープとして前記背面に適用することを含むことを特徴とする請求項８５の方法。
【請求項１０８】  前記提供工程は、前記少なくとも１つの反射器を前記背面の表面に接続することを含むことを特徴とする請求項８５の方法。
【請求項１０９】  光導波路パネルの形成方法であって、
複数のクリアなストリップを積層する工程、
接着材を各ストリップ間に配置する工程、
前記積層体をプレスする工程、
前記積層体の対向する２つの端部にて背面及び出口面を形成する工程、及び
少なくとも１つの反射器を実質的に前記背面に提供する工程、
を含むことを特徴とする前記方法。
【請求項１１０】  前記提供工程は、前記少なくとも１つの反射器を前記背面上にエンボス加工することを含むことを特徴とする請求項１０９の方法。
【請求項１１１】  前記接着材は、厚さが約１／１０００インチ〜２／１０００インチであることを特徴とする請求項１０９の方法。
【請求項１１２】  前記プレス工程は、前記積層体を少なくとも１０００ポンドの圧力でプレスすることを含むことを特徴とする請求項１０９の方法。
【請求項１１３】  前記ストリップの寸法は、約３／４インチ×４０インチ、厚さ約２０／１０００インチであることを特徴とする請求項１０９の方法。
【請求項１１４】  前記積層体は、約２０００〜約３０００個の前記ストリップを有することを特徴とする請求項１０９の方法。
【請求項１１５】  前記ストリップは、ガラスであることを特徴とする請求項１０９の方法。
【請求項１１６】  前記ストリップは、プラスチックであることを特徴とする請求項１０９の方法。
【請求項１１７】  前記ストリップは、約０．０１０インチ〜０．０２０インチの厚さであることを特徴とする請求項１０９の方法。
【請求項１１８】  前記接着材は、１／１０００インチ〜２／１０００インチの厚さであることを特徴とする請求項１０９の方法。
【請求項１１９】  前記接着材は、前記クリアなストリップよりも低い屈折率を有する材料を含むことを特徴とする請求項１０９の方法。
【請求項１２０】  前記接着材は、両側性テープであることを特徴とする請求項１０９の方法。
【請求項１２１】  前記接着材は黒色であることを特徴とする請求項１０９の方法。
【請求項１２２】  更に、前記クリアなストリップの２つの面のそれぞれの上を、クラッド材料でコーティングする工程を含み、前記クラッド材料はクリアであることを特徴とする請求項１２１の方法。
【請求項１２３】  更に、前記クリアなストリップの２つの面のそれぞれの上を、クラッド材料でコーティングする工程を含み、前記クラッド材料は黒色であることを特徴とする請求項１０９の方法。
【請求項１２４】  前記提供工程は、前記少なくとも１つの反射器を前記背面上にエンボス加工することを含むことを特徴とする請求項１０９の方法。
【請求項１２５】  前記背面は、平面状であることを特徴とする請求項１０９の方法。
【請求項１２６】  前記背面は、湾曲状であることを特徴とする請求項１０９の方法。
【請求項１２７】  前記出口面は、平面状であることを特徴とする請求項１０９の方法。
【請求項１２８】  前記出口面は、湾曲状であることを特徴とする請求項１０９の方法。
【請求項１２９】  更に、前記少なくとも１つの反射器と前記背面との間に拡散性材料を提供する工程を含むことを特徴とする請求項１０９の方法。
【請求項１３０】  前記少なくとも１つの反射器は、その中に拡散性要素を有することを特徴とする請求項１０９の方法。
【請求項１３１】  前記提供工程は、前記少なくとも１つの反射器を、コーティングとして前記背面に適用することを含むことを特徴とする請求項１０９の方法。
【請求項１３２】  前記提供工程は、前記少なくとも１つの反射器を前記背面に接着することを含むことを特徴とする請求項１０９の方法。
【請求項１３３】  前記提供工程は、前記少なくとも１つの反射器を前記背面の表面に接続することを含むことを特徴とする請求項１０９の方法。
【手続補正２】
【補正対象書類名】明細書
【補正対象項目名】００２４
【補正方法】変更
【補正の内容】
【００２４】
黒色エポキシ中のクリアなコーティングされたシート群、又は任意のエポキシ中の黒色のコーティングされたシート群のいずれかでトラフを満たした後、コーティングされたガラスシートを繰り返し積層し、そしてエポキシの層が各々のコーティングされたガラスシートの間に形成される。この積層工程は、好ましくは、約５００〜８００枚のシートが積層されるまで繰り返す。次いで、この積層体に一様な圧力を適用することができ、これによって、コーティングされたガラスシート間をほぼ一様なレベルとなすようにエポキシを流動させる。その後、この積層体は、エポキシを硬化させるのに必要な時間だけ、摂氏８０度（８０℃）でベーキング（焼成）して硬化させることができ、次いでこの積層体はガラスのひび割れを防ぐためにゆっくりと冷まされる。
【手続補正３】
【補正対象書類名】明細書
【補正対象項目名】００２８
【補正方法】変更
【補正の内容】
【００２８】
当業者は、本発明の多くの修飾及び変更を実施し得ることを認識されよう。上述の説明及び添付の特許請求の範囲は、そのような全ての修飾及び変更を包含することを意図するものである。
【図面の簡単な説明】
【図１】
図１は、高コントラスト前面投影ディスプレイパネルの断面を示す等角図である。
【図２】
図２は、映写に前面投影ディスプレイを使用する様子を示す図である。
【図３Ａ】
図３Ａは、平面状拡散器、及び平面状反射部を有する高コントラスト前面投影ディスプレイパネルの断面図である。
【図３Ｂ】
図３Ｂは、平面状拡散器、及び角が設けられた反射部を有する高コントラスト前面投影ディスプレイパネルの断面図である。
【図３Ｃ】
図３Ｃは、高コントラスト前面投影ディスプレイパネルにて光を反射する様子を示す図である。
【図３Ｄ】
図３Ｄは、拡散性反射器を有する高コントラスト前面投影ディスプレイパネルの断面図である。
【図３Ｅ】
図３Ｅは、エンボス加工された拡散性反射器を有する高コントラスト前面投影ディスプレイパネルの断面図である。
【図４】
図４は、複数の積層された導波路を示す等角図である。
【図５】
図５は、図３Ｃに示す高コントラスト前面投影ディスプレイパネルにおける選択された領域の拡大図である。
【手続補正４】
【補正対象書類名】図面
【補正対象項目名】図３Ａ
【補正方法】変更
【補正の内容】
【図３Ａ】
2004515818.tif 000001